(57)【要約】【課題】  ヒートポンプを利用した小型で高性能で低価格な汎用型乾燥機及び穀物乾燥機を提供する。【解決手段】  縦型及び横型の箱状をした乾燥機本体の内部の最下部に冷媒の圧縮、凝縮、膨張、蒸発のサイクルからなるヒートポンプを配置し、ヒートポンプで発生させた熱を半密閉状態の乾燥機内部全体を送風機により循環させ乾燥室内の物を効率良く乾燥させる。【選択図】図７
0003134871.tif 000002
【実用新案登録請求の範囲】
【請求項１】
縦型の箱状をした半密閉状態にできる乾燥機本体であって、内部の最下部にヒートポンプユニットを、右側と上部に給気ダクトを、左側と下部に還気ダクトを、中央部に乾燥室を配置し、乾燥室の上下左右の４面に各２枚ずつ計８枚のスライド式シャッターを設け、開度を調整する事により循環させる空気の量や流れの向きを簡単に変更できる事を特長とする汎用型乾燥機。
【請求項２】
横型の箱状をした半密閉状態にできる乾燥機本体であって、内部の最下部にヒートポンプユニットを、右側に給気ダクトを、下部に還気ダクトを、中央部に乾燥室を配置し、乾燥室下部の還気ダクトの上に並べた金網の上に上部の樹脂製のロール式保温蓋を開け稲などの穀物を入れ、ヒートポンプで発生した熱を送風機により乾燥機内全体に循環させ効率良く乾燥させる事を特長とする穀物乾燥機。
【請求項３】
請求項２の穀物乾燥機であって、乾燥室下部の金網を取出口に向かって下がり勾配とし、乾燥室の壁面に取出口に向かって上り勾配で穀物の天端ラインを数本引き、乾燥室に入れた穀物の厚みを簡単に調整する事によって通風量のバランスを取り、穀物全体が均等に乾燥する様にした事を特長とする穀物乾燥機。
【請求項４】
請求項２の穀物乾燥機であって、乾燥室下部の還気ダクトを先下がり勾配に配置して、籾殻などから出るゴミを循環させる空気の流れを利用して最下部に配置したダストポケットに集積させる事を特長とする穀物乾燥機。
【請求項５】
請求項２の穀物乾燥機であって、乾燥機内部の最下部に配置したフィルターを斜めにセットする事によりフィルターの面積を拡大し目詰まりをし難くした事と同時に、還気ダクトの勾配を大きく取る事で籾殻などから出るゴミを集積しやすくした事を特長とする穀物乾燥機。
【考案の詳細な説明】
【技術分野】
【０００１】  本考案は、ヒートポンプを利用した汎用型乾燥機及び穀物乾燥機に関するものである。
【背景技術】
【０００２】  ヒートポンプを利用した乾燥機は沢山有るが、どれも専用の乾燥機であり汎用的に使える製品がなかった。【０００３】  小型の穀物乾燥機は、石油を燃料としたバーナーによる燃焼熱を利用するタイプが一般的である。しかし、燃焼させるタイプは高温度の熱や燃焼ガスに含まれる有害物質による品質の低下が避けられない欠点がある。【０００４】  これまでのヒートポンプ式穀物乾燥機は高性能ではあるが、高性能であるが為に複雑な構造をしており高価で個人ユーザーが買えない。
【考案の開示】
【考案が解決しようとする課題】
【０００５】  ヒートポンプを利用した小型で高性能で低価格な汎用型乾燥機及び穀物乾燥機を提供する事によって、個人又は小規模事業者の利便性を向上させる。
【課題を解決するための手段】
【０００６】  縦型の箱状をした半密閉状態にできる乾燥機本体であって、内部の最下部にヒートポンプユニットを配置し、ヒートポンプで発生した熱を送風機により循環し蒸発と凝縮作用により水分を取除く。また、乾燥室の上下左右の４面に設けた各２枚ずつ、計８枚のスライド式シャッターで循環させる空気の量や流れの向きを調整し効率良く乾燥させる。【０００７】  横型の箱状をした半密閉状態にできる乾燥機本体であって、内部の最下部にヒートポンプユニット配置し、ヒートポンプで発生した熱を送風機により循環し蒸発と凝縮作用により水分を取除く。また、乾燥室下部の金網を取出口に向かって下がり勾配とし、乾燥室の壁面に取出口に向かって上り勾配で穀物の天端ラインを数本引き、乾燥室に入れた穀物の厚みを簡単に調整する事によって通風量のバランスを取り穀物全体を均等に乾燥させる。【０００８】  構成する部品点数を出来る限り減らし穀物の攪拌などは手作業で行う。
【考案の効果】
【０００９】  スライド式シャッターを調整する事により、循環させる空気の量や流れの向きを簡単に調整する事ができる。また、乾燥させようとする物を攪拌する必要がない為、型崩れや長尺物の絡み付き等のトラブルがなく、乾燥室に入る物であれば何でも乾燥できる。【００１０】  石油の燃焼ガスを使用しない為高温度に成り過ぎず有害物質による品質の低下も無い。また、室内で長時間運転しても酸欠の心配もないし、直火を使用しないので火災の危険性も低くなる。【００１１】  構造がシンプルでメンテナンス性が良い。
【図面の簡単な説明】
【００１２】
【図１】汎用型乾燥機の正面図
【図２】汎用型乾燥機の背面図
【図３】汎用型乾燥機の内部断面図
【図４】汎用型乾燥機の上部水平方向の断面図
【図５】汎用型乾燥機の左側断面図
【図６】汎用型乾燥機の右側断面図
【図７】汎用型乾燥機の水平方向の空気の流れを表した断面図
【図８】汎用型乾燥機の垂直方向の空気の流れを表した断面図
【図９】汎用型乾燥機のスライド式シャッターの平面図
【図１０】汎用型乾燥機のボリュームバランサーの正面図
【図１１】汎用型乾燥機の乾燥パレット平面図
【図１２】穀物乾燥機の平面図
【図１３】穀物乾燥機の断面図
【図１４】穀物乾燥機の側面図
【図１５】穀物乾燥機の正面図
【図１６】穀物乾燥機の中敷金網
【図１７】穀物乾燥機の樹脂製ロール式保温蓋の平面及び側面図
【符号の説明】
【００１３】      １  汎用型乾燥機本体
２  操作パネル
３  開閉ハンドル
４  透明樹脂製窓
５  キャスター
６  ドレントラップ
７  乾燥室
８  上部給気用スライド式シャッター
９  給気ダクト
１０  断熱材
１１  側面給気用スライド式シャッター
１２  還気ダクト
１３  温度センサー
１４  ボリュームバランサー
１５  送風機
１６  凝縮器
１７  膨張弁
１８  ドレンパン
１９  フィルター
２０  湿度センサー
２１  下部還気用スライド式シャッター
２２  蒸発器
２３  圧縮機
２４  側面還気用スライド式シャッター
２５  乾燥パレット
２６  スライド式シャッター用開度表示目盛り
２７  ドライエアー吹出口
２８  上部、下部用スライド式シャッター取付溝
２９  側面用スライド式シャッター取付溝
３０  乾燥パレット本体
３１  補強用中間フレーム
３２  金網
３３  穀物乾燥機本体
３４  穀物乾燥機の中敷金網
３５  穀物排出口
３６  樹脂製ロール式保温蓋
３７  軽量シャッター
３８  ダストポケット
３９  マシン点検口
４０  フィルター点検口
４１  ギロチン式排出口用シャッター
４２  補強フレーム
４３  金網
【図１】
0003134871.tif 000003
【図２】
0003134871.tif 000004
【図３】
0003134871.tif 000005
【図４】
0003134871.tif 000006
【図５】
0003134871.tif 000007
【図６】
0003134871.tif 000008
【図７】
0003134871.tif 000009
【図８】
0003134871.tif 000010
【図９】
0003134871.tif 000011
【図１０】
0003134871.tif 000012
【図１１】
0003134871.tif 000013
【図１２】
0003134871.tif 000014
【図１３】
0003134871.tif 000015
【図１４】
0003134871.tif 000016
【図１５】
0003134871.tif 000017
【図１６】
0003134871.tif 000018
【図１７】
0003134871.tif 000019